【手続補正書】
【提出日】平成27年10月1日(2015.10.1)
【手続補正１】
【補正対象書類名】特許請求の範囲
【補正対象項目名】全文
【補正方法】変更
【補正の内容】
【特許請求の範囲】
【請求項１】
仮想広帯域送信ユニットであって、
遠隔の報道場所における生のメディア送信信号から、異なるモデム特性を有する複数の無線モデムを介する生の一斉アップロードのための複数のデータストリームを生成するストリーム生成器と、
それぞれが前記複数の無線モデムの１つと関連付けられている複数のモデムマネージャと、
前記複数の無線モデムのアップロードチャネル品質と前記複数の無線モデムの監視されたパフォーマンスのうち少なくとも１つに基づいて前記一斉アップロードのために前記複数の無線モデムの間で前記複数のデータストリームのパケットを不均等に分散させることによって、前記複数の無線モデムの選択された組を通じて前記複数のデータストリームのアップロードを制御する送信制御手段と、を備え、
前記一斉アップロードは、前記複数の無線モデムのアップロード容量の合計が生のメディア送信を円滑に行ううえで十分な連結帯域幅となる仮想広帯域アップロード接続を作成し、
前記複数のデータストリームは、１つ以上のインターネット接続を介して前記遠隔の報道場所から伝送され、
前記仮想広帯域送信ユニットは、さらに、
（ａ）前記複数の無線モデムの間のパフォーマンス傾向を検出すること、および（ｂ）いずれかのモデムマネージャに、関連する無線モデムの送信レートを下げるようにまたは関連する無線モデムを停止するように指示することを実行するトラフィック分析器、を備え、
前記複数の無線モデムのそれぞれが前記遠隔の報道場所からアクセス可能な無線通信ネットワークに関連付けられ、前記選択された組は少なくとも１つの無線通信ネットワークに関連付けられており、
前記仮想広帯域送信ユニットは、１つ以上のセルラーネットワーク、１つ以上のＷｉＦｉネットワーク、１つ以上のＷｉＭａｘネットワークおよび１つ以上の衛星ネットワークのうちの１つ以上を介して、インターネットに接続され、
前記仮想広帯域送信ユニットは、１つ以上のネットワーク事業者によって送信される複数のチャネルを介して前記遠隔の報道場所から前記生のメディア送信信号をアップロードする、
仮想広帯域送信ユニット。
【請求項２】
前記トラフィック分析器は、
前記仮想広帯域送信ユニットの設定可能なストリームプロセッサの設定を決定すること、
前記仮想広帯域送信ユニットの設定可能なインターネットプロトコルストリームプロセッサの設定を向上させること、
全体的なパフォーマンス傾向を識別すること、
いずれかのモデムマネージャに、関連する無線モデムの送信レートを高めるように指示すること、
前記複数のモデムマネージャの間で送信レートのバランスをとること、
いくつかのモデムマネージャに、関連する無線モデムの送信レートを下げるように指示するとともに、全体的なスループットの予測される低下を埋め合わせるために別のモデムマネージャに、関連する無線モデムの送信レートを高めるように指示すること、
前記複数の無線モデムによる複数の接続の品質およびフローを最適化し、これにより前記仮想広帯域アップロード接続を作成すること、
のうち少なくとも１つを実行する、
請求項１に記載の仮想広帯域送信ユニット。
【請求項３】
遠隔地報道の方法であって、
遠隔の報道場所において生成された生のメディア送信信号の映像データを、それぞれが少なくとも１つの無線通信ネットワークの１つと関連付けられており且つ異なるモデム特性を有する複数の無線モデムを介する生の一斉アップロードのための複数のデータストリームのデータパケットに編成するステップと、
前記複数の無線モデムのアップロードチャネル品質と前記複数の無線モデムの監視されたパフォーマンスのうち少なくとも１つに基づいて前記一斉アップロードのために前記複数の無線モデムの間で前記複数のデータストリームのパケットを不均等に分散させることによって、前記データパケットを、前記少なくとも１つの無線通信ネットワークのうち前記遠隔の報道場所からアクセス可能な無線通信ネットワークに関連付けられた無線モデムの組を通じて放送局にアップロードするステップと、
前記少なくとも１つの無線通信ネットワークのトラフィックと関連付けて前記編成するステップと前記アップロードするステップの動作を調整するステップと、
を含み、
前記一斉アップロードは、前記複数の無線モデムのアップロード容量の合計が生のメディア送信を円滑に行ううえで十分な連結帯域幅となる仮想広帯域アップロード接続を作成し、
前記複数のデータストリームは、１つ以上のインターネット接続を介して前記遠隔の報道場所から伝送され、
前記方法は、さらに、
（ａ）前記複数の無線モデムの間のパフォーマンス傾向を検出すること、および（ｂ）いずれかのモデムマネージャに、関連する無線モデムの送信レートを下げるようにまたは関連する無線モデムを停止するように指示することを実行するトラフィック分析のステップ、を含み、
前記複数の無線モデムのそれぞれが前記遠隔の報道場所からアクセス可能な無線通信ネットワークに関連付けられ、前記選択された組は少なくとも１つの無線通信ネットワークに関連付けられており、
前記仮想広帯域アップロード接続は、１つ以上のセルラーネットワーク、１つ以上のＷｉＦｉネットワーク、１つ以上のＷｉＭａｘネットワークおよび１つ以上の衛星ネットワークのうちの１つ以上を介して、インターネットに接続され、
前記仮想広帯域アップロード接続は、１つ以上のネットワーク事業者によって送信される複数のチャネルを介して前記遠隔の報道場所から前記生のメディア送信信号をアップロードする、
方法。
【請求項４】
前記トラフィック分析のステップは、
仮想広帯域送信ユニットの設定可能なストリームプロセッサの設定を決定すること、
前記仮想広帯域送信ユニットの設定可能なインターネットプロトコルストリームプロセッサの設定を向上させること、
全体的なパフォーマンス傾向を識別すること、
いずれかのモデムマネージャに、関連する無線モデムの送信レートを高めるように指示すること、
前記複数のモデムマネージャの間で送信レートのバランスをとること、
いくつかのモデムマネージャに、関連する無線モデムの送信レートを下げるように指示するとともに、全体的なスループットの予測される低下を埋め合わせるために別のモデムマネージャに、関連する無線モデムの送信レートを高めるように指示すること、
前記複数の無線モデムによる複数の接続の品質およびフローを最適化し、これにより前記仮想広帯域アップロード接続を作成すること、
のうち少なくとも１つを実行する、
請求項３に記載の方法。
【請求項５】
前記生のメディア送信信号が、映像データと音声データのうちの少なくとも一方を備えている、請求項１に記載の仮想広帯域送信ユニット。
【請求項６】
前記データストリームをエンコードするビデオエンコーダへの接続をさらに備えている、請求項１に記載の仮想広帯域送信ユニット。
【請求項７】
前記少なくとも１つの無線通信ネットワークが、携帯電話／モバイルセルラーネットワーク、ＷｉＦｉネットワーク、ＷｉＭａｘネットワーク、衛星ネットワーク、のうちの少なくとも１つである、請求項１に記載の仮想広帯域送信ユニット。
【請求項８】
前記ストリーム生成器が、データパケット生成器を備えており、前記データパケット生成器が、
前記データストリームにＦＥＣ符号を提供する前方誤り訂正（ＦＥＣ）プロセッサ、
前記データストリームから番号付きデータパケットを生成するパケットエンカプスレータ、
前記データパケットをシャッフルするインターリーバ、
のうちの少なくとも１つを備えている、
請求項１に記載の仮想広帯域送信ユニット。
【請求項９】
前記パケット生成器から前記データパケットを受け取るキューバッファと、再送できるように前記パケットのコピーを格納する再送キューと、
をさらに備えている、請求項８に記載の仮想広帯域送信ユニット。
【請求項１０】
前記複数のデータストリームを送信するための前記複数の無線モデム、
をさらに備えている、請求項１に記載の仮想広帯域送信ユニット。
【請求項１１】
前記複数のデータストリームの適時性および品質のうちの少なくとも一方に関するフィードバックを受信するためのバックチャネル、
をさらに備えており、
前記フィードバックが、欠落データパケット、再構築されたデータパケット、受信されたパケットのシリアル番号およびタイムスタンプ、データの再送の要求、のうちの少なくとも１つを備え、
前記送信制御手段が、
再送キューを検索して、少なくとも１つの前記欠落データパケットのコピーを特定し、再送できるように、検出されたコピーを転送する手段、
を備えている、
請求項１に記載の仮想広帯域送信ユニット。
【請求項１２】
前記トラフィック分析器が、
前記フィードバックを分析し、前記ストリーム生成器の構成要素の設定を前記分析に応じて調整し、
前記構成要素が、ビデオエンコーダ、ＦＥＣプロセッサ、パケットエンカプスレータ、インターリーバ、キューバッファ、モデムマネージャ、のうちの少なくとも１つを備えている、請求項１１に記載の仮想広帯域送信ユニット。
【請求項１３】
前記少なくとも１つの無線通信ネットワークが、少なくとも２つの異なるセルラーネットワークである、請求項３に記載の方法。
【請求項１４】
前記少なくとも２つの異なるセルラーネットワークが、少なくとも２つの異なる携帯電話技術を使用する、請求項１３に記載の方法。
【請求項１５】
前記アップロードするステップの成功に関するフィードバックを受信するステップと、
前記フィードバックを分析するステップと、をさらに含み、
前記調整するステップは、前記編成および前記複数のモデムの動作設定を、前記分析の結果に応じて変更するステップと、を含んでいる、請求項３に記載の方法。
【請求項１６】
ＦＥＣ符号を有するパケットを生成するステップと、
前記アップロードするステップの前に前記パケットの順序をインターリーブするステップと、
少なくとも１つの不適切に受信された前記データパケットの再送要求を受信するステップと、
前記少なくとも１つの不適切に受信されたデータパケットを再送するステップと、
のうち少なくとも１つをさらに含んでいる、請求項３に記載の方法。
【請求項１７】
前記少なくとも１つの無線通信ネットワークが、携帯電話／モバイルセルラーネットワーク、ＷｉＦｉネットワーク、ＷｉＭａｘネットワーク、衛星ネットワーク、のうちの少なくとも１つである、請求項３に記載の方法。
【請求項１８】
異なるモデム特性を有する前記複数の無線モデムは、
異なるモデムハードウェア特性に起因する異なるパフォーマンス特性を有する複数の無線モデムを備えている、
請求項１に記載の仮想広帯域送信ユニット。
【請求項１９】
異なるモデム特性を有する前記複数の無線モデムは、異なるパフォーマンス特性を有する少なくとも２つの無線モデムを備えている、
請求項１に記載の仮想広帯域送信ユニット。
【請求項２０】
異なるモデム特性を有する前記複数の無線モデムは、少なくとも
高速接続可能な第１の無線モデムと、
低速接続可能な第２の無線モデムと、
を備えている、請求項１に記載の仮想広帯域送信ユニット。
【請求項２１】
異なるモデム特性を有する前記複数の無線モデムは、少なくとも
高速接続可能な第１の高速無線モデムと、
低速接続可能な第２の低速無線モデムと、
を備えている、請求項１に記載の仮想広帯域送信ユニット。
【請求項２２】
異なるモデム特性を有する前記複数の無線モデムは、少なくとも
高い誤り率の第１の無線モデムと、
低い誤り率の第２の無線モデムと、
を備えている、請求項１に記載の仮想広帯域送信ユニット。
【請求項２３】
異なるモデム特性を有する前記複数の無線モデムは、少なくとも
セルラー通信技術を利用する第１の無線モデムと、
非セルラー無線通信技術を利用する第２の無線モデムと、
を備えている、請求項１に記載の仮想広帯域送信ユニット。
【請求項２４】
異なるモデム特性を有する前記複数の無線モデムは、少なくとも
セルラー通信を利用する第１の無線モデムと、
ＷｉＦｉ無線通信を利用する第２の無線モデムと、
を備えている、請求項１に記載の仮想広帯域送信ユニット。
【請求項２５】
異なるモデム特性を有する前記複数の無線モデムは、少なくとも
セルラー通信を利用する第１の無線モデムと、
衛星無線通信を利用する第２の無線モデムと、
を備えている、請求項１に記載の仮想広帯域送信ユニット。
【請求項２６】
異なるモデム特性を有する前記複数の無線モデムは、少なくとも
セルラー通信を利用する第１の無線モデムと、
ＢＧＡＮ（Broadband Global Area Network）衛星通信を利用する第２の無線モデムと、
を備えている、請求項１に記載の仮想広帯域送信ユニット。
【請求項２７】
異なるモデム特性を有する前記複数の無線モデムは、少なくとも、
非セルラー通信を利用する第１の無線モデムと、
ＢＧＡＮ（Broadband Global Area Network）衛星通信を利用する第２の無線モデムと、
を備えている、請求項１に記載の仮想広帯域送信ユニット。
【請求項２８】
異なるモデム特性を有する前記複数の無線モデムは、少なくとも
第１のモデム信頼性を有する第１の無線モデムと、
第２の異なるモデム信頼性を有する第２の無線モデムと、
を備えている、請求項１に記載の仮想広帯域送信ユニット。
【請求項２９】
異なるモデム特性を有する前記複数の無線モデムは、少なくとも
第１のモデム運用ライセンス制限を有する第１の無線モデムと、
第２の異なるモデム運用ライセンス制限を有する第２の無線モデムと、
を備えている、請求項１に記載の仮想広帯域送信ユニット。
【請求項３０】
異なるモデム特性を有する前記複数の無線モデムは、少なくとも
第１のモデム速度を有する第１の無線モデムと、
第２の異なるモデム速度を有する第２の無線モデムと、
を備えている、請求項１に記載の仮想広帯域送信ユニット。
【請求項３１】
異なるモデム特性を有する前記複数の無線モデムは、単一の仮想広帯域受信機にデータを送信する、
請求項１に記載の仮想広帯域送信ユニット。
【請求項３２】
異なるモデム特性を有する前記複数の無線モデムは、前記送信に使用された接続には関係なく、単一の仮想広帯域受信機にデータを送信する、
請求項１に記載の仮想広帯域送信ユニット。
【請求項３３】
異なるモデム特性を有する前記複数の無線モデムは、少なくともセルラー通信リンクおよび非セルラー通信リンクを介して単一の仮想広帯域受信機にデータを送信する、
請求項１に記載の仮想広帯域送信ユニット。
【請求項３４】
異なるモデム特性を有する前記複数の無線モデムは、少なくともセルラー通信リンクおよびＷｉＦｉ無線通信リンクを介して単一の仮想広帯域受信機にデータを送信する、
請求項１に記載の仮想広帯域送信ユニット。
【請求項３５】
異なるモデム特性を有する前記複数の無線モデムは、少なくともセルラー通信リンクおよび衛星無線通信リンクを介して単一の仮想広帯域受信機にデータを送信する、
請求項１に記載の仮想広帯域送信ユニット。
【請求項３６】
異なるモデム特性を有する前記複数の無線モデムは、セルラー通信リンクおよび非セルラー通信リンクの両方の組合せを介して単一の仮想広帯域受信機にデータを送信する、
請求項１に記載の仮想広帯域送信ユニット。
【請求項３７】
異なるモデム特性を有する前記複数の無線モデムは、セルラー通信リンクおよび非セルラー通信リンクの両方の組合せを介して単一の仮想広帯域受信機にデータを送信し、前記単一の仮想広帯域受信機は、送信に使用された前記接続には関係なく、いくつかの異なる接続から複数のストリームを受信する、
請求項１に記載の仮想広帯域送信ユニット。
【請求項３８】
異なるモデム特性を有する前記複数の無線モデムは、セルラー通信リンクおよび非セルラー通信リンクの両方の組合せを介して単一の仮想広帯域受信機にデータを送信し、
前記単一の仮想広帯域受信機は、送信に使用された前記接続には関係なく、単一のインターネット接続を有する当該受信機にルーティングされているいくつかの異なる接続から複数のストリームを受信する、
請求項１に記載の仮想広帯域送信ユニット。
【請求項３９】
異なるモデム特性を有する前記複数の無線モデムは、単一の仮想広帯域受信機にデータを送信し、前記単一の仮想広帯域受信機は、前記仮想広帯域送信ユニットの前記トラフィック分析器にパフォーマンスデータを渡す、
請求項１に記載の仮想広帯域送信ユニット。
【請求項４０】
異なるモデム特性を有する前記複数の無線モデムは、単一の仮想広帯域受信機にデータを送信し、前記単一の仮想広帯域受信機は、前記仮想広帯域受信ユニットの前記トラフィック分析器に、少なくともパケット再送要求を含むパフォーマンスデータを渡す、
請求項１に記載の仮想広帯域送信ユニット。
【請求項４１】
前記トラフィック分析器は、前記仮想広帯域送信ユニットの再送メカニズムに前記パケット再送要求を転送し、前記再送メカニズムは、前記パケット再送要求の受信を追跡し、複数のバックチャネルから受信した重複する要求を無視する、
請求項１に記載の仮想広帯域送信ユニット。
【請求項４２】
前記トラフィック分析器は、前記仮想広帯域送信ユニットのキュー生成器の取出し済みデータテーブルを照会して、バックチャネルから受信したパケット番号を、前記元のパケットを処理したモデムマネージャに関連付ける、
請求項１に記載の仮想広帯域送信ユニット。
【請求項４３】
前記トラフィック分析器は、前記複数の無線モデムの間のパフォーマンス傾向を検出し、いずれかの無線モデムにおいて、誤り率が高い場合、前記トラフィック分析器は、前記関連付けられたモデムマネージャに前記誤り率を下げるように指示する、
請求項１に記載の仮想広帯域送信ユニット。
【請求項４４】
前記トラフィック分析器は、前記複数の無線モデムの間のパフォーマンス傾向を検出し、いずれかの無線モデムにおいて、欠落パケットの割合が高い場合、前記トラフィック分析器は、前記関連付けられたモデムマネージャに前記割合を下げるように指示する、
請求項１に記載の仮想広帯域送信ユニット。
【請求項４５】
前記トラフィック分析器は、前記複数の無線モデムの間のパフォーマンス傾向を検出し、前記トラフィック分析器は、誤りの減少に応じて、モデムマネージャに、関連付けられたモデムの前記送信レートを高めるように指示する、
請求項１に記載の仮想広帯域送信ユニット。
【請求項４６】
前記トラフィック分析器は、前記複数の無線モデムの間のパフォーマンス傾向を検出し、前記トラフィック分析器は、欠落パケットの減少に応じて、モデムマネージャに、関連付けられたモデムの前記送信レートを高めるように指示する、
請求項１に記載の仮想広帯域送信ユニット。
【請求項４７】
前記トラフィック分析器は、前記複数のモデムマネージャの間でレートのバランスをとるように試み、１つ以上のモデムマネージャにレートを下げるように指示する場合、全体的なスループットの予測される低下を埋め合わせるために１つ以上の他のモデムマネージャに前記１つ以上の他のモデムマネージャのレートを高めるように指示する、
請求項１に記載の仮想広帯域送信ユニット。
【請求項４８】
前記トラフィック分析器は、全体的なパフォーマンス傾向を識別し、現在の統計情報が、パケットの消失がほとんどないことを示す場合、前記トラフィック分析器は、前記仮想広帯域送信ユニットのインターリーバにパケットのインターリーブのレベルを下げるように指示する、
請求項１に記載の仮想広帯域送信ユニット。
【請求項４９】
前記トラフィック分析器は、全体的なパフォーマンス傾向を識別し、検出される全体的な誤りの度合いが高い場合、前記トラフィック分析器は、前記仮想広帯域送信ユニットの前方誤り訂正（ＦＥＣ）プロセッサにＦＥＣオーバーヘッドを増大させるように指示する、
請求項１に記載の仮想広帯域送信ユニット。
【請求項５０】
前記トラフィック分析器は、全体的なパフォーマンス傾向を識別し、検出される全体的な誤りの度合いが高い場合、前記トラフィック分析器は、前記仮想広帯域送信ユニットの前方誤り訂正（ＦＥＣ）プロセッサに前記仮想広帯域送信ユニットのエンコーダから受信したビデオデータの圧縮率を変化させるように指示する、
請求項１に記載の仮想広帯域送信ユニット。
【請求項５１】
全体的な誤りの度合いおよび欠落パケットの度合いが高く、結果として、ビデオストリームを時間的に間に合うように送信するにはすべての前記モデムマネージャの連結レートが不十分である場合、前記トラフィック分析器は、前記仮想広帯域送信ユニットのビデオエンコーダに、処理後に前記ビデオストリームを送信するために要求される前記帯域幅を低減する目的で圧縮率を高めるように指示する、
請求項１に記載の仮想広帯域送信ユニット。
【請求項５２】
前記送信制御手段は、少なくとも１つの前記無線モデムから離隔している、
請求項１に記載の仮想広帯域送信ユニット。
【請求項５３】
前記送信制御手段は、すべての前記無線モデムから離隔している、
請求項１に記載の仮想広帯域送信ユニット。
【請求項５４】
前記トラフィック分析器は、少なくとも１つの前記無線モデムから離隔している、
請求項１に記載の仮想広帯域送信ユニット。
【請求項５５】
前記トラフィック分析器は、すべての前記無線モデムから離隔している、
請求項１に記載の仮想広帯域送信ユニット。
【請求項５６】
前記送信制御手段は、少なくとも１つの前記無線モデムから離隔しており、且つ、前記トラフィック分析器は、少なくとも１つの前記無線モデムから離隔している、
請求項１に記載の仮想広帯域送信ユニット。
【請求項５７】
前記送信制御手段は、すべての前記無線モデムから離隔しており、且つ、前記トラフィック分析器は、すべての前記無線モデムから離隔している、
請求項１に記載の仮想広帯域送信ユニット。
【請求項５８】
前記データストリームは、少なくとも２つのインターネット接続を備えている複数の送信チャネルを介して単一の仮想広帯域受信機に伝送される、
請求項１に記載の仮想広帯域送信ユニット。
【請求項５９】
前記データストリームは、少なくとも２つのセルラー接続を備えている複数の送信チャネルを介して単一の仮想広帯域受信機に伝送される、
請求項１に記載の仮想広帯域送信ユニット。
【請求項６０】
前記データストリームは、少なくとも１つのインターネット接続および少なくとも１つのセルラー接続を備えている複数の送信チャネルを介して単一の仮想広帯域受信機に伝送される、
請求項１に記載の仮想広帯域送信ユニット。
【請求項６１】
前記仮想広帯域送信ユニットのビデオエンコーダから入力されるビデオストリームを処理し（Ａ）、複数のアップロードストリーム（無線モデムあたり１つのアップロードストリーム）を提供する（Ｂ）、設定可能なストリームプロセッサをさらに備えている、
請求項１に記載の仮想広帯域送信ユニット。
【請求項６２】
前記トラフィック分析器は、前記設定可能なストリームプロセッサのための設定を向上させる目的で、進行中のアップロードセッションから実際のパフォーマンス統計情報を分析する、
請求項６１に記載の仮想広帯域送信ユニット。
【請求項６３】
前記仮想広帯域送信ユニットのビデオエンコーダから入力されるビデオストリームを処理し（Ａ）、前記複数の無線モデムの間で不均等に分散されるパケットを備えている複数のアップロードストリーム（無線モデムあたり１つのアップロードストリーム）を提供する（Ｂ）、設定可能なストリームプロセッサをさらに備えている、
請求項１に記載の仮想広帯域送信ユニット。
【請求項６４】
前記仮想広帯域送信ユニットのビデオエンコーダから入力されるビデオストリームを処理し（Ａ）、前記複数の無線モデムの間で不均等に分散されるパケットを備えている複数のアップロードストリーム（無線モデムあたり１つのアップロードストリーム）を提供する（Ｂ）、設定可能なストリームプロセッサと、
前記モデムマネージャによって取り出されるインターリーブされたパケットを含む出力バッファであって、前記モデムマネージャは、それぞれ、１つのモデムドライバと関連付けられ、前記モデムドライバは、関連付けられた１つの無線モデムを管理する、出力バッファと、
をさらに備えている、請求項１に記載の仮想広帯域送信ユニット。
【請求項６５】
パケットエンカプスレータによって割り当て得られるパケット番号によって決まる、連続する順序のパケットを格納する入力パケットキューを利用するインターリーバをさらに備え、
出力パケットが、連続するパケット番号が互いに隣り合うことがないように、ランダム化された順序でインターリーブされる、
請求項６４に記載の仮想広帯域送信ユニット。
【請求項６６】
前記モデムマネージャそれぞれにはまた、モデムドライバが関連付けられている、
請求項１に記載の仮想広帯域送信ユニット。
【請求項６７】
前記モデムマネージャそれぞれにはまた、モデムドライバが関連付けられており、
前記モデムドライバのそれぞれは、前記パケットを送信するために使用される前記個々の無線モデムを管理する、
請求項１に記載の仮想広帯域送信ユニット。
【請求項６８】
前記モデムマネージャそれぞれにはまた、モデムドライバが関連付けられており、
前記モデムドライバのそれぞれは、前記パケットを送信するために使用される前記個々の無線モデムを管理し、
前記モデムマネージャは、キュー生成器からパケットを取り出し、前記パケットをモデムドライバに転送し、
前記モデムドライバのそれぞれは、対応する無線モデムにパケットを転送する、
請求項１に記載の仮想広帯域送信ユニット。
【請求項６９】
前記モデムマネージャそれぞれにはまた、モデムドライバが関連付けられており、
前記モデムドライバのそれぞれは、前記パケットを送信するために使用される前記個々の無線モデムを管理し、
前記モデムマネージャは、キュー生成器からパケットを取り出し、前記パケットをモデムドライバに転送し、
前記モデムドライバのそれぞれは、対応する無線モデムにパケットを転送し、
前記モデムマネージャのそれぞれは、その時点の優勢な条件下において最適なレートに従って、関連付けられたモデムドライバにパケットを供給するように構成される、
請求項１に記載の仮想広帯域送信ユニット。
【請求項７０】
前記モデムマネージャそれぞれにはまた、モデムドライバが関連付けられており、
前記モデムドライバのそれぞれは、前記パケットを送信するために使用される前記個々の無線モデムを管理し、
前記モデムマネージャは、キュー生成器からパケットを取り出し、前記パケットをモデムドライバに転送し、
前記モデムドライバのそれぞれは、対応する無線モデムにパケットを転送し、
前記モデムマネージャのそれぞれは、その時点の優勢な条件下における最適なレートに従って、関連付けられたモデムドライバにパケットを供給するように構成され、
第１のモデムマネージャには、前記第１のモデムマネージャが対応するモデムドライバに第１の数のパケットを渡すように、第１のレートが割り当てられ、
第２のモデムマネージャには、前記第２のモデムマネージャが対応するモデムドライバにより小さい数のパケットを渡すように、第２のより低いレートが割り当てられる、
請求項１に記載の仮想広帯域送信ユニット。
【請求項７１】
前記モデムマネージャそれぞれにはまた、モデムドライバが関連付けられており、
前記モデムドライバのそれぞれは、前記パケットを送信するために使用される前記個々の無線モデムを管理し、
前記モデムマネージャのそれぞれは、その時点の優勢な条件下における最適なレートに従って、関連付けられたモデムドライバにパケットを供給するように構成される、
請求項１に記載の仮想広帯域送信ユニット。